(57)【要約】  【課題】  周囲の明るさが変化しても、低輝度部分のコントラスト感を落とさずに、白つぶれのない映像を表示する映像表示装置を提供する。  【解決手段】  表示装置５としてＰＤＰを使用するとき、周囲の明るさが明るくなると画面に表示する映像の低輝度部分のコントラストを強くし、低輝度部分のコントラスト感を落とさずに、白つぶれのない映像を表示する。低輝度部分のコントラストを強くすると、平均輝度レベルが低いときは画面全体が暗くなってしまうが、このときはブライトネスを高くしてその問題を解消する。【選択図】  図１
2006119200.tif 000002
【特許請求の範囲】
【請求項１】
周囲の明るさを検出する光センサ部と、入力する映像信号の１フレーム又は複数のフレーム毎の平均輝度レベルを算出する平均輝度レベル算出部と、前記映像信号を入力してブライトネスやコントラスト等を調整する映像信号処理部と、前記光センサ部で検出された周囲の明るさに応じて前記映像信号処理部における前記映像信号のコントラストを制御するとともに前記平均輝度レベル算出部で得られた平均輝度レベルに応じて前記映像信号処理部における前記映像信号のブライトネスを制御する制御部と、前記映像信号処理部から出力する映像信号により映像を表示する表示装置と、を有することを特徴とする映像表示装置。
【請求項２】
請求項１に記載の映像表示装置において、
前記表示装置がＰＤＰからなり、前記制御部は、前記周囲の明るさが明るいときに前記映像信号処理部に対して前記映像信号の低輝度部分のコントラストが高くなるよう制御することを特徴とする映像表示装置。
【請求項３】
請求項１に記載の映像表示装置において、
前記表示装置がＬＣＤからなり、前記制御部は、前記周囲の明るさが暗いときに前記映像信号処理部に対して前記映像信号の低輝度部分のコントラストが高くなるよう制御することを特徴とする映像表示装置。
【請求項４】
請求項１乃至３のいずれか１つに記載の映像表示装置において、
前記制御部は、前記周囲の明るさが明るいとき前記平均輝度レベルが低いほど前記映像信号処理部に対して前記映像信号のブライトネスが高くなるよう制御することを特徴とする映像表示装置。
【請求項５】
請求項１乃至４のいずれか１つに記載の映像表示装置において、
前記制御部は、前記周囲の明るさが明るいときに前記表示装置に対して表示輝度レベルが高くなるよう制御することを特徴とする映像表示装置。
【発明の詳細な説明】
【技術分野】
【０００１】
本発明は、周囲の明るさの変化と映像信号の平均輝度レベルに合わせて自動的に映像調整が行なわれるようにした映像表示装置に関するものである。
【背景技術】
【０００２】
従来では、周囲の明るさに応じて表示装置のコントラストやブライトネス等の画像調整を行う場合には、マニュアルによって調整していた。また、進んだ技術として、周囲の明るさに応じて自動的にこれらを調整することも行われていた（例えば、特許文献１、２参照）。
【特許文献１】特開平６−２８９８１２号公報
【特許文献２】特開平６−３０３５５１号公報
【発明の開示】
【発明が解決しようとする課題】
【０００３】
しかしながら、表示装置としてＣＲＴ（ブラウン管）やＰＤＰ（プラズマディスプレイパネル）を使用する場合は、周囲が明るくなると、画面表面での周囲光の反射によって、画面の本来黒くなければならい低輝度部分が薄く白っぽくなって浮いた感じになりコントラストが低下した画像となってしまう問題があった。
【０００４】
一方、表示装置としてＬＣＤ（液晶表示装置）を使用する場合は、周囲が暗くなると、バックライトの影響が大きくなって光漏れが顕著となり、画面の本来黒くなければならい低輝度部分が薄く白っぽくなって浮いた感じになりやはりコントラストが低下した画像となってしまう問題があった。
【０００５】
これらを解決するために、入力する映像信号の全体に対してコントラストを高くする調整を行うと、低輝度部分および中輝度部分のコントラストは上がるものの、高輝度部分はつぶれて画像が消失してしまい、十分な効果を得ることができなかった。
【０００６】
本発明の目的は、上記した点に鑑み、周囲の明るさが変化してもコントラストを低下させずに白つぶれが生じないようにした映像表示装置を提供することである。
【課題を解決するための手段】
【０００７】
請求項１にかかる発明は、周囲の明るさを検出する光センサ部と、入力する映像信号の１フレーム又は複数のフレーム毎の平均輝度レベルを算出する平均輝度レベル算出部と、前記映像信号を入力してブライトネスやコントラスト等を調整する映像信号処理部と、前記光センサ部で検出された周囲の明るさに応じて前記映像信号処理部における前記映像信号のコントラストを制御するとともに前記平均輝度レベル算出部で得られた平均輝度レベルに応じて前記映像信号処理部における前記映像信号のブライトネスを制御する制御部と、前記映像信号処理部から出力する映像信号により映像を表示する表示装置と、を有することを特徴とする。
【０００８】
請求項２にかかる発明は、請求項１に記載の映像表示装置において、前記表示装置がＰＤＰからなり、前記制御部は、前記周囲の明るさが明るいときに前記映像信号処理部に対して前記映像信号の低輝度部分のコントラストが高くなるよう制御することを特徴とする。
【０００９】
請求項３にかかる発明は、請求項１に記載の映像表示装置において、前記表示装置がＬＣＤからなり、前記制御部は、前記周囲の明るさが暗いときに前記映像信号処理部に対して前記映像信号の低輝度部分のコントラストが高くなるよう制御することを特徴とする。
【００１０】
請求項４にかかる発明は、請求項１乃至３のいずれか１つに記載の映像表示装置において、前記制御部は、前記周囲の明るさが明るいとき前記平均輝度レベルが低いほど前記映像信号処理部に対して前記映像信号のブライトネスが高くなるよう制御することを特徴とする。
【００１１】
請求項５にかかる発明は、請求項１乃至４のいずれか１つに記載の映像表示装置において、前記制御部は、前記周囲の明るさが明るいときに前記表示装置に対して表示輝度レベルが高くなるよう制御することを特徴とする。
【発明の効果】
【００１２】
本発明の映像表示装置によれば、周囲の明るさに応じて低輝度部分のコントラストを調整し、映像信号の平均輝度レベルに応じてブライトネスを調整するので、白つぶれが生じることなくコントラスト感のある映像を表示させることができる。
【発明を実施するための最良の形態】
【００１３】
図１は本発明の実施例の映像表示装置の全体を示すブロック図である。光センサ部１は周囲の明るさを検出した結果を明るさデータとして制御部２に出力する。平均輝度レベル算出部３は入力する映像信号から１フレーム又は複数のフレーム毎の平均輝度レベルを計算し、各フレーム毎の平均値やヒステリシスを用いた算出結果を制御部２に出力する。制御部２は光センサ部１で検出された周囲の明るさと平均輝度レベル算出部３で算出された平均輝度レベルとを入力して、映像信号処理設定値と表示輝度レベル設定値を生成し、映像信号処理設定値は入力映像信号を補正する度合を設定する値として映像信号処理部４に、表示輝度レベル設定値は表示装置５の最大輝度レベルを設定する値として表示装置５に出力する。映像信号処理部４は、入力する映像信号に対して、制御部２から出力される映像信号処理設定値に基づきブライトネスやコントラストなどの映像信号処理を行って表示装置５に出力する。表示装置５は映像信号処理部４から出力する映像信号を、制御部２から入力される表示輝度レベル設定値に基づいた輝度レベルで表示する。なお、制御部２には、ユーザによる映像信号処理設定値や表示輝度レベル設定値等のユーザ設定値も入力され、これが光センサ部１から入力する明るさや平均輝度レベル算出部３から入力する平均輝度レベルにより補正されることになる。
【００１４】
図２(a)に制御部２に格納した補正テーブルの一例を示す。これは表示装置５をＰＤＰとした場合の補正テーブルである。光センサ部で検出した明るさは、「３０」を標準とし、「５０」を最大値、「１０」を最低値とする。低輝度コントラスト補正値は光センサ部で検出した明るさが高いほど大きな値になる。ブライトネス補正値は平均輝度レベルが低輝度レベル（１〜１０）のとき、中輝度レベル（１１〜２０）のとき、高輝度レベル（２１〜３０）のときの３領域に分かれるが、低輝度レベルほど大きな値となる。表示輝度レベル補正値は光センサ部で検出した明るさが高いほど大きな値になる。
【００１５】
例えば、光センサ部で検出した周囲の明るさが「５０」、平均輝度レベル算出部３で算出した平均輝度レベルが「５」のときの制御部２の動作は、ユーザの設定値に対して、映像信号処理部４に対しては低輝度コントラストを「＋４」だけ補正した設定値に、ブライトネスを「＋４」だけ補正した設定値にそれぞれ徐々に変化させていく。また、表示装置５に対しては表示輝度レベルを「＋１０」だけ補正した設定値に徐々に変化させていく。
【００１６】
この例では、周囲の明るさが基準値「３０」よりも明るいときは、表示装置５（ＰＤＰ）の表面での反射の影響が大きい低輝度部分におけるコントラストを高める（黒レベルを強める）が、表示装置５の表面での反射の影響が小さい中輝度から高輝度部分においては、無理にコントラストを高めず通常のコントラストとし、白つぶれを起こさないようにしている。このときの映像信号処理部４における入出力特性を図３に示した。コントラストを高めることは、Ａの部分の傾きを大きくしたり、また変化点Ｂを入力輝度レベルの高い側（右側）にシフトすることになる。また、図２(b)に示すように、周囲の明るさがある基準を例えば「３０」として、それを超える明るさの場合に低輝度のコントラストを高めても良い。
【００１７】
一方、平均輝度レベル算出部３により算出された平均輝度レベルが低いときは、低輝度部分のコントラストを高くすると黒つぶれが目立ち画面全体が暗くなってしまい、周囲が明るい環境においては見づらい画像となってしまう。そこで、輝度レベルが高い領域が少ない映像のとき、つまり平均輝度レベルが低いときは、そのときの平均輝度レベルの値によって、ブライトネスを上げて画面全体を明るくする。このときの映像信号処理部４の入出力特性を図４に示した。標準の特性との差分Ｃが平均輝度レベルが低いことによってブライトネスを上げた補正量である。
【００１８】
なお、図２(a)、(b)に示した補正テーブルは周囲の明るさが明るくなったとき、表示装置５（ＰＤＰ）の表面での反射の影響が大きい低輝度部分におけるコントラストを強めるようにしたが、表示装置５にＬＣＤを使用する場合は、逆に周囲が暗くなるとバックライトの影響が大きくなって光漏れが顕著となり、画面の本来黒くなければならい低輝度部分がやはり薄く白っぽくなって浮いた感じになりコントラストが低下した画像となってしまうので、表示装置５にＬＣＤを使用する場合は図５(a)に示す補正テーブルを使用する。この図５(a)の補正テーブルでは、周囲が暗くなると低輝度部分のコントラストを上げる補正を行う。ブライトネス補正はＰＤＰ用の場合と同じである。したがって、入出力特性は図３，図４に示した特性と同じになる。また、図５(b)に示すように、周囲の明るさがある基準を例えば「３０」として、それ以下の明るさの場合に低輝度のコントラストを高めても良い。
【００１９】
以上のように、本実施例では、ＰＤＰを表示装置として使用するときは周囲の明るさが明るくなると画面に表示する映像の低輝度部分のコントラストを強くし、ＬＣＤを表示装置として使用するときは周囲の明るさが暗くなると画面に表示する映像の低輝度部分のコントラストを強くするので、低輝度部分のコントラスト感を落とさずに、白つぶれのない映像を表示することができる。また、低輝度部分のコントラストを強くすると、平均輝度レベルが低いときは画面全体が暗くなってしまうが、このときはブライトネスを高くするので、その問題もない。
【図面の簡単な説明】
【００２０】
【図１】本発明の実施例の映像表示装置のブロック図である。
【図２】図１の制御部に格納するＰＤＰ用の補正テーブルの説明図である。
【図３】周囲が明るいときに実現するＰＤＰ用の映像信号処理部の入出力特性の特性図である。
【図４】周囲が明るくかつ平均輝度レベルが低いときに実現するＰＤＰ用の映像信号処理部の入出力特性の特性図である。
【図５】図１の制御部に格納するＬＣＤ用の補正テーブルの説明図である。
【符号の説明】
【００２１】
１：光センサ部
２：制御部
３：平均輝度レベル算出部
４：映像信号処理部
５：表示装置
【図１】
2006119200.tif 000003
【図２】
2006119200.tif 000004
【図３】
2006119200.tif 000005
【図４】
2006119200.tif 000006
【図５】
2006119200.tif 000007